(57)【要約】      （修正有）【課題】専門家でなくても花型を簡易に形成できる花器セットを提供する。【解決手段】花器セット１０は、弓状に形成された本体部２０、及び本体部２０の横方向に対して垂直な中心線を基準とした片側に、本体部２０の横方向に沿って形成される複数の孔２２Ａ〜Ｃを有する花器１２Ａ〜Ｃを複数備える。そして、複数の花器１２Ａ〜Ｃは本体部２０の大きさが各々異なる。これにより、花器セット１０の使用者は、組み合わせて配置した複数の花器１２Ａ〜Ｃの孔２２Ａ〜Ｃの各々に生花を挿すのみで、花型を簡易に形成することができる。【選択図】図１
0003215912.tif 000002
【実用新案登録請求の範囲】
【請求項１】
弓状に形成された本体部と、
前記本体部の横方向に対して垂直な中心線を基準とした片側に、前記本体部の横方向に沿って形成される複数の孔と、
を有する花器を複数備え、
複数の前記花器は前記本体部の大きさが各々異なる花器セット。
【請求項２】
３つの前記花器を備え、
３つの前記花器の前記本体部の大きさは、１０：７：５である請求項１記載の花器セット。
【請求項３】
複数の前記孔は、水平面に対して７５度の位置で前記本体部に形成される第１孔、水平面に対して４５度の位置で本体部に形成される第２孔、及び水平面に対して１５度の位置で本体部に形成される第３孔である請求項１又は請求項２記載の花器セット。
【請求項４】
前記本体部は、側面及び底面の少なくとも一方に切り欠きが形成される請求項１又は請求項３記載の花器セット。
【請求項５】
前記弓状は、半円形状又は多角形状である請求項１から請求項４の何れか１項記載の花器。
【考案の詳細な説明】
【技術分野】
【０００１】
本考案は、花器セットに関するものである。
【背景技術】
【０００２】
生花（せいか）や造花等の草花を花器に挿して作品（以下「花型」又は「花形」という。）とし、それを鑑賞することが長年広く行われている。この花型は、例えば、華道の流派毎に特徴があり、花型の習得には経験を要する。
【０００３】
ここで、特許文献１には、専門家でなくても花型（花形）を簡易に形成する造花セットが開示されている。この造花セットは、造花側に表示された花形分類記号と造花挿し分け台側に表示された花形分類記号とを一致させるだけで完成された花形が専門家でなくても構成できると同時に、造花の上に切断点又は継手を配置して一つ以上の花形が構成できる所定の花形により組み立てられるものである。
【先行技術文献】
【特許文献】
【０００４】
【特許文献１】実開平３−３０２２１号公報
【考案の概要】
【考案が解決しようとする課題】
【０００５】
しかしながら、特許文献１に開示されている造花セットの造花挿し分け台は、中空な半球体状の球面部と底面部とで形成された閉構造となっており、花留めを配置することがでず、花形分類記号が表示された造花を造花挿し分け台に挿すものである。すなわち、造花セットの造花挿し分け台は、造花を挿すことのみを前提としており、生花を挿すことは想定されていない。このため、生花であっても、簡易に花型を形成できる花器が求められている。
【０００６】
本考案は、専門家でなくても花型を簡易に形成できる、花器セットを提供することを目的とする。
【課題を解決するための手段】
【０００７】
上記課題を解決するために、本考案の花器セットは以下の手段を採用する。
【０００８】
本考案の態様に係る花器セットは、弓状に形成された本体部と、前記本体部の横方向に対して垂直な中心線を基準とした片側に、前記本体部の横方向に沿って形成される複数の孔と、を有する花器を複数備え、複数の前記花器は前記本体部の大きさが各々異なる。
【０００９】
上記花器セットは、３つの前記花器を備え、３つの前記花器の前記本体部の大きさが１０：７：５であってもよい。
【００１０】
上記花器セットは、複数の前記孔が水平面に対して７５度の位置で前記本体部に形成される第１孔、水平面に対して４５度の位置で本体部に形成される第２孔、及び水平面に対して１５度の位置で本体部に形成される第３孔であってもよい。
【００１１】
上記花器セットは、前記本体部の側面及び底面の少なくとも一方に切り欠きが形成されてもよい。
【００１２】
上記花器セットは、前記弓状の前記本体部が半円形状又は多角形状であってもよい。
【考案の効果】
【００１３】
本考案によれば、専門家でなくても花型を簡易に形成できる、という効果を有する。
【図面の簡単な説明】
【００１４】
【図１】本考案の実施形態に係る花器セットの外観を示した斜視図である。
【図２】本考案の実施形態に係る花器セットを用いて生花を活けた例を示す図である。
【図３】本考案の実施形態に係る花器の側面図である。
【図４】本考案の実施形態に係る花器セットの他の使用例を示す図である。
【図５】本考案の他の実施形態に係る花器セットの外観を示した斜視図である。
【考案を実施するための形態】
【００１５】
以下に、本考案に係る花器の一実施形態について、図面を参照して説明する。
【００１６】
〔１．花器セットの構成〕
図１は、本実施形態に係る花器セット１０の外観を示した斜視図である。本実施形態に係る花器セット１０は、本体部２０の大きさが各々異なる複数の花器１２を備える。
【００１７】
本実施形態に係る花器セット１０は、一例として、大、中、小の３つの花器１２Ａ，１２Ｂ，１２Ｃを備え、花器１２Ａ，１２Ｂ，１２Ｃの本体部２０の大きさ（半径）は、１０：７：５の相似形である。この花器１２の比率は、華道の各流派において活ける複数本（例えば３本）の生花の茎の長さ（生花の大きさ）の比率に準じている。
【００１８】
使用者は、花器セット１０を用いて生花を活ける場合に図２に示されるように、大きな花器１２の下側に小さい花器１２を配置し、さらにその下に花留め１４を配置する。花留め１４は、例えば水及び剣山を入れることができる器である。そして、使用者は、花器１２の孔２２に生花の茎を挿入し、茎の先端を花留め１４に固定する。これにより、花器セット１０の使用者は、組み合わせて配置した複数の花器１２の孔２２の各々に生花を挿すのみで、花型を簡易に形成することができる。
【００１９】
なお、生花を活ける場合、必ずしも花器１２Ａ，１２Ｂ，１２Ｃの全てを組み合わせて使用する必要はなく、何れか２つ又は１つのみを組み合わせて使用してもよい。また、花器セット１０及び花留め１４をトレイ１６上に配置することで、生花を活けた状態で花器セット１０を移動させることができる。
【００２０】
〔２．花器の構成〕
次に、花器１２の側面図である図３も参照して、花器１２の構成について説明する。
【００２１】
花器１２の本体部２０は、弓状に形成されている。なお、ここでいう弓状とは、中央部が上方向に凸な形状、換言するとアーチ状である。
【００２２】
本体部２０を弓状とすることにより、大きな花器１２の下に小さな花器１２及び花留め１４を配置することができる。なお、本実施形態に係る本体部２０は、半円状（円弧状）であるが、例えば円の形状は新円に限らず、楕円でもよいし、円弧状であれば半円でなくてもよい。
【００２３】
なお、本体部２０の幅ｗは、孔２２に生花を挿入した状態で安定して本体部２０が底面２１を下にして直立できる長さであれば限定されない。なお、本実施形態に係る花器１２Ａ，１２Ｂ，１２Ｃの本体部２０の幅ｗは各々同じであるが、これに限らず、本体部２０が直立できる大きさであれば、各々の幅ｗが異なってもよい。また、本体部２０の材質は限定されず、例えば、金属、ガラス、アクリル樹脂、又は段ボール等である。また、本体部２０の角部は、面取り又はＲ面取りが適宜行われるが、必ずしもこれらが行われる必要はない。また、本体部２０の表面に模様が施されてもよいし、本体部２０の色も限定されるものではない。
【００２４】
さらに、花器１２は、本体部２０の横方向ｘに対して垂直（縦方向ｙ）な中心線ＣＬを基準とした片側に、本体部２０の横方向ｘに沿って複数の孔２２が形成される。なお、本実施形態に係る本体部２０における横方向ｘは、本体部２０の長軸方向であり、より具体的には、円の周方向Ｓである。また、中心線ＣＬは、換言すると、花器１２を直立させた場合に、水平面ＨＰに垂直であって、本体部２０の頂部へ至る直線である。    
【００２５】
本実施形態に係る花器１２は、３つの孔２２が形成されている。より具体的には、水平面ＨＰに対して７５度の位置で本体部に形成される孔２２Ａ、水平面ＨＰに対して４５度の位置で本体部２０に形成される孔２２Ｂ、及び水平面ＨＰに対して１５度の位置で本体部に形成される孔２２Ｃである。なお、各角度は、水平面ＨＰと孔２２の下端とのなす角度である。
【００２６】
花器１２Ａ，１２Ｂ，１２Ｃにおける各孔２２の大きさは同じであるものの、７５度、４５度、１５度で孔２２Ａ，２２Ｂ，２２Ｃが形成されるため、花器１２のサイズが小さくなるほど孔２２Ａ，２２Ｂ，２２Ｃの間隔が狭くなる。
【００２７】
これら各角度７５度、４５度、１５度は、華道の各流派において生花を傾けるべき角度を平均化したものであり、数度のずれがあってもよい。また、各孔２２Ａ，２２Ｂ，２２Ｃは、四角形状であるが、これは一例であり、標準的な生花の茎を挿入できる大きさであれば、三角形状等の他の多角形状や円形状であってもよい。
【００２８】
また、本実施形態に係る本体部２０は、側面２３及び底面２１に切り欠き２４が形成される。本実施形態に係る本体部２０は、一例として、孔２２Ａと孔２２Ｂとの略中間における側面２３、及び孔２２が形成された周方向Ｓとは逆側の底面２１に一つずつ切り欠き２４が形成される。
【００２９】
切り欠き２４は、本体部２０を倒したり、上下逆向きにして使用する際に、生花の茎を保持するものである。なお、本実施形態に係る切り欠き２４の形成個所は一例であり、側面２３及び底面２１に複数個所形成されてもよいし、側面２３及び底面２１の何れか一方にのみ形成されてもよい。また、本実施形態に係る切り欠き２４の形状は半円形であるが、切り欠き２４の形状はこれに限らず、切り欠き２４が生花の茎を保持することができる大きさであれば、三角形状等の他の多角形状であってもよい。
【００３０】
〔３．花器セットの使用例〕
花器セット１０は、図２を参照して上述したように、大きな花器１２の下側に小さい花器１２を配置し、孔２２に生花の茎を挿入することで、生花が活けられるものである。ここで、上述したように、花器１２Ａ，１２Ｂ，１２Ｃの大きさは、１０：７：５となっている。また、孔２２Ａ，２２Ｂ，２２Ｃは、その下端が各々７５度、４５度、１５度となっている。
【００３１】
このため、花器セット１０の使用者は、花器１２Ａ，１２Ｂ，１２Ｃの大きさの比率に沿って、３本の生花の茎の長さを揃え、孔２２Ａ，２２Ｂ，２２Ｃに生花の茎を挿入し、その茎の先端を花留め１４に固定するだけで、経験の浅い者でも自ずと華道の作法に準じた活け方が可能となる。
【００３２】
また、花器１２に活けられた生花は、適宜切り戻しが行われて茎が短くなるため、それまでよりもサイズの小さな花器１２を用いて活けなおすことで、従来に比べて生花をより長い期間活け続けることができる。
【００３３】
さらに、図４の例に示されるように、花器１２を直立させて使用するのみならず、横倒し又は上下逆にして用いてもよい。
【００３４】
図４（Ａ）は、花器１２を横倒しにし、花器１２Ａの側面２３に形成された切り欠き２４、及び花器１２Ｂに形成された孔２２を用いて生花を保持させた例である。また、図４（Ｂ）は、花器１２Ａを上下逆向きにし、花器１２Ａの底面に形成された切り欠き２４を用いて生花を保持させた例である。なお、図４（Ｂ）の例では、逆向きにした花器１２Ａを安定させ、かつ美観を高めるために、花器１２Ｂを生花の配置位置とは逆の位置で花器１２Ａと重ね合わせている。
【００３５】
以上説明したように、本実施形態に係る花器セット１０は、弓状に形成された本体部２０、及び本体部２０の横方向ｘに対して垂直な中心線ＣＬを基準とした片側に、本体部２０の横方向ｘに沿って形成された複数の孔２２を有する花器１２を複数備える。そして、複数の花器１２は本体部２０の大きさが各々異なる。これにより、花器セット１０の使用者は、組み合わせて配置した複数の花器１２の孔２２の各々に生花を挿すのみで、花型を簡易に形成することができる。
【００３６】
〔４．他の実施形態〕
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、該変更又は改良を加えた形態も本考案の技術的範囲に含まれる。
【００３７】
例えば、上記実施形態では、花器１２の本体部２０の片側に３つの孔２２Ａ，２２Ｂ，２２Ｃが形成される形態について説明したが、本考案はこの形態に限られず、例えば、本体部２０の片側に２つ又は４つ以上の孔２２が形成されてもよい。
【００３８】
また、上記実施形態では、各花器１２Ａ，１２Ｂ，１２Ｃの本体部２０は、その幅ｗが一定であるが、本考案はこの形態に限られず、本体部２０が直立できるのであれば、例えば、底面２１の幅ｗが頂部（中央部分）の幅ｗよりも長い末広がりの形状でもよいし、底面２１の幅ｗが頂部（中央部分）の幅ｗよりも短くてもよい。
【００３９】
また、上記実施形態では、花器１２の本体部２０を半円形状とする形態について説明したが、本考案はこの形態に限られず、例えば、図５に示されるように本体部２０を、例えば角を一つ以上有する多角形状としてもよい。花器１２の本体部２０を多角形状とすることで、花器１２の使用者は、活ける生花に応じて花器１２を選択できる。
【００４０】
図５（Ａ）は、花器１２の本体部２０を、一つの角を有する三角形状とした例である。図５（Ａ）では、一例として、花器１２Ａの本体部２０に３つの孔２２が形成され、花器１２Ｂの本体部２０に２つの孔２２が形成され、花器１２Ｃの本体部２０に１つの孔２２が形成される。
【００４１】
また、図５（Ｂ）は、花器１２の本体部２０を、二つの角を有する四角形状とした例である。図５（Ｂ）では、一例として、花器１２Ａ，１２Ｂ，１２Ｃの本体部２０に各々２つの孔２２が形成される。なお、図５（Ｂ）の例では、本体部２０の上面３０の片側（左側）にのみ孔２２が形成されるが、これに限らず、本体部２０の側面３２の片側（左側）にも孔２２が形成されてもよい。
【００４２】
また、図５（Ａ），（Ｂ）に示される花器１２の本体部２０に切り欠き２４が形成されていないが、これに限らず、本体部２０に切り欠き２４が形成されてもよい。
【符号の説明】
【００４３】
１０    花器セット
１２Ａ  花器
１２Ｂ  花器
１２Ｃ  花器
２０    本体部
２２Ａ  孔（第１孔）
２２Ｂ  孔（第２孔）
２２Ｃ  孔（第３孔）
２４    切り欠き
【図１】
0003215912.tif 000003
【図２】
0003215912.tif 000004
【図３】
0003215912.tif 000005
【図４】
0003215912.tif 000006
【図５】
0003215912.tif 000007
【手続補正書】
【提出日】平成30年2月13日(2018.2.13)
【手続補正１】
【補正対象書類名】実用新案登録請求の範囲
【補正対象項目名】全文
【補正方法】変更
【補正の内容】
【実用新案登録請求の範囲】
【請求項１】
中央部が上方向に凸とされるアーチ状に形成された本体部と、
前記本体部の横方向に対して垂直な中心線を基準とした片側に、前記本体部の横方向に沿って形成される複数の孔と、
を有する花器を複数備え、
複数の前記花器は前記本体部の大きさが各々異なる花器セット。
【請求項２】
３つの前記花器を備え、
３つの前記花器の前記本体部の横方向の大きさは、１０：７：５である請求項１記載の花器セット。
【請求項３】
複数の前記孔は、水平面に対して７５度の位置で前記本体部に形成される第１孔、水平面に対して４５度の位置で本体部に形成される第２孔、及び水平面に対して１５度の位置で本体部に形成される第３孔である請求項１又は請求項２記載の花器セット。
【請求項４】
前記本体部は、前記本体部を上方向に直立させた場合に横側となる側面、及び前記本体部を上方向に直立させた場合に下側となる底面の少なくとも一方に切り欠きが形成される請求項１又は請求項３記載の花器セット。
【請求項５】
前記アーチ状は、半円形状又は多角形状である請求項１から請求項４の何れか１項記載の花器。